(57)【要約】【課題】特別な設置工事を要することなく、乗かご内の乗客が望む情報を選択できる乗かご内の情報表示装置の提供。【解決手段】インターネット７と一般電話回線を利用して、情報を外部から取り込む情報取り込み手段すなわち情報表示装置５と、乗かご１内に設けられ、この乗かご１内の乗客に情報を表示するディスプレイ２と、乗かご１内を撮像するカメラ３とを備えたエレベータの乗かご１内情報表示装置において、カメラ３で撮影した画像から特定の配色を検出する特定配色検出手段４２と、この特定配色検出手段４２で検出された特定の配色に応じて、予め定められた種別の情報をディスプレイ２に表示させる情報表示手段、すなわち情報選択手段４５と情報表示装置５とを備えた。【選択図】図１
2008037550.tif 000002
【特許請求の範囲】
【請求項１】
インターネットと一般電話回線を利用して、情報を外部から取り込む情報取り込み手段と、乗かご内に設けられ、この乗かご内の乗客に情報を表示するディスプレイと、前記乗かご内を撮像するカメラとを備えたエレベータの乗かご内情報表示装置において、
前記カメラで撮影した画像から特定の配色を検出する特定配色検出手段と、この特定配色検出手段で検出された特定の配色に応じて、予め定められた種別の情報をディスプレイに表示させる情報表示手段とを備えたことを特徴とするエレベータの乗かご内情報表示装置。
【請求項２】
請求項１記載の発明において、
前記カメラで撮影した画像から前記乗かご内の異常状態を検知する異常検知手段と、前記特定配色検出手段で検出された前記特定の配色とは異なる検知禁止の特別色に応じて、前記異常検知手段の機能を一時停止させる異常検知禁止手段とを備えたことを特徴とするエレベータの乗かご内情報表示装置。
【発明の詳細な説明】
【技術分野】
【０００１】
本発明は、エレベータの乗かごに設置され、乗かご内の乗客に情報を表示するディスプレイと、乗かご内を撮影するカメラとを有するエレベータの乗かご内情報表示装置に関する。
【背景技術】
【０００２】
ビルを利用する人々にとって、エレベータは今や縦の交通機関として重要な役割を担っている。特に最近では、利便性への要求が高まってきており、エレベータ昇降時のシステム側の安全性だけでなく、利用者の利便性を高めるサービスも求められるようになってきた。一方、最近あらゆる場所にディスプレイが設置され、様々な情報の発信源として重要な役割を果たしており、エレベータにおいても大いに活躍されている。例えば、特開２００１−２６１２４８公報には、エレベータの乗かご内に情報選択釦を設け、その情報選択釦により選択された種別の情報をモニターであるディスプレイに表示させるといった方法が開示されている。上記の公報によれば、情報選択釦により選択された種別の情報を、情報提供者としてのプロバイダーから公衆回線及びポケットベルを介して受信し、ディスプレイに表示するようにしたものである（特許文献１参照）。
【特許文献１】特開２００１−２６１２４８公報
【発明の開示】
【発明が解決しようとする課題】
【０００３】
上述した従来技術では、エレベータ用のディスプレイと防犯カメラが既設現場に設置されている場合においても、情報選択釦を設ける等の設置工事が必要となりコストが掛かるという問題があった。また、選択釦は稼動部を持つため、繰り返し行われる操作に伴って耐久性が落ち、この選択釦を取り替える為の保守管理費が高くなるという問題もあった。
【０００４】
本発明はこのような従来技術における実状を鑑みてなされたもので、その目的は、特別な設置工事を要することなく、乗かご内の乗客が望む情報を選択できる乗かご内の情報表示装置を提供することにある。
【課題を解決するための手段】
【０００５】
この目的を達成するために、本発明は、インターネットと一般電話回線を利用して、情報を外部から取り込む情報取り込み手段と、乗かご内に設けられ、この乗かご内の乗客に情報を表示するディスプレイと、前記乗かご内を撮像するカメラとを備えたエレベータの乗かご内情報表示装置において、前記カメラで撮影した画像から特定の配色を検出する特定配色検出手段と、この特定配色検出手段で検出された特定の配色に応じて、予め定められた種別の情報をディスプレイに表示させる情報表示手段とを備えたことを特徴とするエレベータの乗かご内情報表示装置。
【０００６】
このように構成した本発明は、情報表示手段が、特定配色検出手段で検出された特定の配色に応じた予め定められた種別の情報をディスプレイに表示させるので、既設のディスプレイと防犯カメラによって、特別な設置工事を要することなく、乗かご内の乗客が望む情報を提供することができる。
【０００７】
また、本発明は前記発明において、前記カメラで撮影した画像から前記乗かご内の異常状態を検知する異常検知手段と、前記特定配色検出手段で検出された前記特定の配色とは異なる検知禁止の特別色に応じて、前記異常検知手段の機能を一時停止させる異常検知禁止手段とを備えたことを特徴とする。
【発明の効果】
【０００８】
本発明は、乗かご内をカメラで撮影した画像から特定の配色を検出する特定配色検出手段と、この特定配色検出手段で検出された特定の配色に応じて、予め定められた種別の情報をディスプレイに表示させる情報表示手段とを備えたことから、特別な設置工事を要することなく、乗かご内の乗客が予め定められた種別の情報のうちの望む情報を選択でき、したがって、従来のような特別な設置工事に伴う工事費が不要になり、経済的である。さらに、従来のような情報選択釦などの稼動部を持たないので、従来に比べて耐久性を向上させることができ、したがって、従来よりも、保守管理費に要する経費を安価にできる。
【発明を実施するための最良の形態】
【０００９】
以下、本発明に係るエレベータの乗かご内情報表示装置を実施するための最良の形態を図に基づいて説明する。
【００１０】
［本発明の第１実施形態の構成］
図１は、本発明に係るエレベータの乗かご内情報表示装置の第１実施形態の構成を示すブロック図、図２は、図１に示す第１実施形態に備えられる特定配色手段の内容を示す図、図３は、図１に示す第１実施形態に備えられる情報選択テーブルの内容を示す図である。
【００１１】
この第１実施形態は、図１に示すように、情報サーバ８及びパソコン６が接続されるインターネット７と一般電話回線を利用して、情報を外部から取り込む情報取込み手段、すなわち情報表示装置５を備えている。乗かご１内には、情報表示装置５に接続され、乗かご１内の乗客に情報を表示するディスプレイ２と、乗かご１内の映像を撮像するカメラ３とを設けてある。
【００１２】
また、上述のカメラ３及び情報表示装置５に接続される情報選択装置４を備えている。この情報選択装置４は、カメラ３に接続され、このカメラ３から入力された画像を記録する現在画像メモリ部４１と、カメラ３で撮影した画像から特定の配色を検出する特定配色検出手段、すなわち現在画像メモリ部４１に格納された画像の色情報を判断し、特定の配色を検出する特定配色検出手段４２と、この特定配色検出手段４２及び情報表示装置５に接続される情報選択手段４５とを含んでいる。図２は、上述した特定配色検出手段４２の内容を示している。この図２に示す判断は、予め用意される黒、白、赤、青色のいずれかの着色物、例えば色付きカードをカメラ３の前にかざしたときに行われるものであり、Ｒ（赤）、Ｇ（緑）、Ｂ（青）の各色の割合から、黒、白、赤、青色のいずれに相当するかを判断するようになっている。また、色決定の為のしきい値、すなわち黒、白、赤、青色であるかどうかの判断の基準を高い値、例えば９０％に設定してある。このような高いしきい値の設定により、色付きカードをカメラ３の前にかざさない普段の乗かご１内の映像では、特定配色検出手段４２は、特定の配色を検出することがない。
【００１３】
前述の情報選択手段４５は、特定配色検出手段４２に接続され、図３に示す内容、すなわち黒、白、赤、青色それぞれに該当する種別の情報が予め記憶される情報選択テーブル４３と、この情報選択テーブル４３で記憶された色に対応する情報を、一定時間の間ディスプレイ２に表示させる処理を行う表示情報指示手段４４とを含んでいる。上述した情報選択テーブル４３には、例えば、黒色に対応させて「天気」情報が、白色に対応させて「スポーツ」情報が、赤色に対応させて「ニュース」情報が、また青色に対応させて「占い」情報がそれぞれ記憶されている。
【００１４】
なお、上述したパソコン６は、情報選択テーブル４３に記憶される各色に対応する情報を別の情報に切り替えるため等に活用される。
【００１５】
上述した情報選択テーブル４３及び表示情報指示手段４４を含む情報選択手段４５と、情報指示装置５とによって、特定配色検出手段４２で検出された特定の配色に応じて、情報選択テーブル４３で記憶された予め定められた上述の種別の情報をディスプレイ２に表示させる情報表示手段が構成されている。
【００１６】
［第１実施形態の動作］
このように構成した第１実施形態において、乗かご１内を撮像するカメラ３の画像が、予め用意される黒、白、赤、青色のいずれかの色付きカードの画像ではなく、普段の乗かご１内の画像の場合では、前述のように色の判断のしきい値を高く設定してあることから、特定配色検出手段４２が特定の配色を、すなわち黒、白、赤、青色のいずれかの色を検出することはなく、外部からの情報がインターネット７と一般電話回線を利用して情報表示装置５で取得され、この取得された情報、つまり情報選択テーブル４３に記憶されている情報とは異なる情報がディスプレイ２に表示される。
【００１７】
この第１実施形態では特に、乗かご１内の乗客が、予め用意される黒、白、赤、青色の色付きカードのいずれか１つをカメラ３の前にかざすと、この色付きカードの画像がカメラ３で撮影され、この画像が現在画像メモリ部４１に格納される。次に、この現在画像メモリ部４１に格納された画像の色情報が、特定配色検出手段４２により、黒、白、赤、青色のいずれに相当するかが図２に示される内容から判断され、この判断された色が情報選択手段４５に出力される。この場合、例えば、注目画素、つまり色付きカードのＲ（赤）の値が１０より小さく、Ｇ（緑）の値が１０より小さく、Ｂ（青）の値が１０より小さいと判断されたとき、色付きカードは、黒色と検出される。同様に、色付きカードのＲ（赤）の値が２４５より大きく、Ｇ（緑）の値が２４５より大きく、Ｂ（青）の値が２４５より大きいと判断されたとき、色付きカードは、白色と検出される。また、色付きカードのＲ（赤）の値が２４５より大きく、Ｇ（緑）の値が１０より小さく、Ｂ（青）の値が１０より小さいと判断されたとき、色付きカードは、赤色と検出される。同様に、色付きカードのＲ（赤）の値が１０より小さく、Ｇ（緑）の値が１０より小さく、Ｂ（青）の値が２４５より大きいと判断されたとき、色付きカードは、青色と検出される。
【００１８】
そして、情報選択手段４５に含まれる情報選択テーブル４３から前述した特定配色検出手段４２で検出された色に応じた種別の情報が選択される。この場合、図３に示すように、黒色が検出された場合は「天気」情報が選択され、白色が検出された場合は「スポーツ」情報が選択され、赤色が検出された場合は「ニュース」情報が選択され、青色が検出された場合は「占い」情報が選択される。このようにして選択された情報は、表示情報指示手段４４により、情報表示装置５に出力される。そして、この出力された情報は、情報表示装置５により一定時間の間ディスプレイ２に表示されるようになっている。したがって、乗かご１内の乗客は、カメラ３の前にかざした色付きカードに応じた所望の情報をディスプレイ２によって見ることができる。
【００１９】
［第１実施形態の効果］
このように構成した第１実施形態によれば、乗かご１内をカメラ３で撮影した画像から特定の配色すなわち、黒、白、赤、青色を検出する特定配色検出手段４２と、この特定配色検出手段４２で検出された特定の配色に応じて、予め定められた種別の情報をディスプレイ２に表示させる情報表示手段、すなわち情報選択手段４５と情報表示装置５とを備えたことから、特別な設置工事を要することなく、乗かご１内の乗客が、情報選択テーブル４３に記憶された予め定められた種別の情報のうちの望む情報を選択でき、したがって、特別な設置工事に伴う工事費が不要になり、経済的である。さらに、前述した情報選択釦などの稼動部を持たないので、耐久性を向上させることができ、したがって、従来よりも、保守管理費に要する経費を安価にできる。
【００２０】
［第２実施形態］
図４は、本発明の第２実施形態の構成を示すブロック図ある。
【００２１】
図４に示すように、この第２実施形態は、第１実施形態の構成に加えて、カメラ３で撮影した画像から乗かご１内の異常状態を検知する異常検知手段９２と、特定配色検出手段４２に接続され、異常検知手段９２の機能を、特定配色検出手段４２で検出された前述の特定の配色、すなわち黒、白、赤、青色とは異なる予め定められる検知禁止の特定色の場合に一時停止させる異常検知禁止手段９１と、異常検知手段９２からの検知信号により、周囲に報知するブザーやランプ等から成る報知手段１０とを備えている。
【００２２】
この第２実施形態は、第１実施形態の動作に加えて、前述の異常検知手段９２では、定期的に、現在画像メモリ部４１に格納されているカメラ３で撮影された乗かご１内の画像を取得する。この画像に暴力行為や乗客の転倒などの異常がある場合は、前述の異常検知手段９２がその異常を検知し、その検知信号により報知手段１０によって周囲に報知される。
【００２３】
また、乗かご１内の清掃作業あるいは点検作業などの正規の作業に対しても、異常検知手段９２が異常の検知をする可能性があるので、正規の作業中は、異常検知手段９２が作動しないように、特定配色検出手段４２により検知禁止の特別色を検知した場合には、その信号が異常検知禁止手段９１に送られ、異常検知手段９２を一時停止させる。そして、例えば、一定時間経過後に、異常検知手段９２の停止が自動的に解除されるようになっている。このようにすれば、異常検知手段９２の機能の復帰忘れを防ぐことができる。
【００２４】
このように構成した第２実施形態によれば、第１実施形態と同様の作用効果を得られるとともに、乗かご１内に異常が生じたときには、異常検知手段９２でその異常が検知され、報知手段１０によって報知させることができ、乗かご１の乗客の安全性の確保に貢献する。また、異常検知禁止手段９１を備えたことから、乗かご１内の清掃作業等の正規の作業を支障なく行うことができる。なお、異常検知禁止手段９１は、釦等の設置を要しないので、このような設置工事に伴う工事費が不要になり、経済的である。
【図面の簡単な説明】
【００２５】
【図１】本発明に係るエレベータの乗かご内情報表示装置の第１実施形態の構成を示すブロック図ある。
【図２】図１に示す第１実施形態に備えられる特定配色手段の内容を示す図である。
【図３】図１に示す第１実施形態に備えられる情報選択テーブルの内容を示す図である。
【図４】本発明の第２実施形態の構成を示すブロック図ある。
【符号の説明】
【００２６】
１    乗かご
２    ディスプレイ
３    カメラ
４    情報選択装置
４１  現在画像メモリ部
４２  特定配色検出手段
４３  情報選択テーブル
４４  表示情報指示手段
４５  情報選択手段（情報表示手段）
５    情報表示装置（情報取り込み手段）（情報表示手段）
６    パソコン
７    インターネット
８    情報サーバ    
９１  異常検知禁止手段
９２  異常検知手段
１０  報知手段
【図１】
2008037550.tif 000003
【図２】
2008037550.tif 000004
【図３】
2008037550.tif 000005
【図４】
2008037550.tif 000006